(57)【要約】【課題】  粘着テープの切断時に粘着テープの粘着面の終端部に非接着部を自動的に形成し得る粘着テープカッタを提供すること。【解決手段】  粘着テープを巻き付けてなる粘着テープロールと、前記粘着テープロールから引き出された前記粘着テープを切断するカッタ刃と、剥離層が形成されている剥離テープを巻いてなる剥離テープロールと、前記粘着テープロールの回転を前記剥離テープロールに伝達する回転伝達機構とを備え、前記粘着テープが前記粘着テープロールから引き出されるときに、前記回転伝達機構によって前記剥離テープが前記剥離テープロールから引き出され、前記粘着テープロールから引き出された前記粘着テープを前記カッタ刃で切断するときに、前記剥離テープの前記剥離層が前記粘着テープにおける切断部分の粘着面に転写されることを特徴とする粘着テープカッタ。【選択図】  図１
2007008665.tif 000002
【特許請求の範囲】
【請求項１】
粘着テープを巻き付けてなる粘着テープロールと、
前記粘着テープロールから引き出された前記粘着テープを切断するカッタ刃と、
剥離層が形成されている剥離テープを巻いてなる剥離テープロールと、
前記粘着テープロールの回転を前記剥離テープロールに伝達する回転伝達機構と、
を備え、
前記粘着テープが前記粘着テープロールから引き出されるときに、前記回転伝達機構によって前記剥離テープが前記剥離テープロールから引き出され、
前記粘着テープロールから引き出された前記粘着テープを前記カッタ刃で切断するときに、前記剥離テープの前記剥離層が前記粘着テープにおける切断部分の粘着面に転写されることを特徴とする粘着テープカッタ。
【請求項２】
粘着テープを巻き付けてなる粘着テープロールが装着されるカッタケースと、
前記粘着テープロールを回転可能に保持する第１の回転部材と、
前記カッタケースの粘着テープ受部に固定されて、前記粘着テープロールから引き出された前記粘着テープを切断するカッタ刃と、
剥離層が形成されている剥離テープを巻いてなる剥離テープロールを保持する第２の回転部材と、
前記剥離テープを巻き取る第３の回転部材と、
前記第１の回転部材の回転を前記第２の回転部材及び前記第３の回転部材に伝達する回転伝達機構と、
前記カッタ刃の近傍に配置されている剥離テープ用受台と、
を備え、
前記粘着テープが前記粘着テープロールから引き出されるときに、前記回転伝達機構によって前記第２の回転部材及び前記第３の回転部材が回転することにより、前記剥離テープが前記剥離テープロールから前記剥離テープ用受台を通して引き出され、
前記粘着テープロールから引き出された前記粘着テープを前記カッタ刃で切断するときに、前記剥離テープ用受台上の前記剥離テープの前記剥離層が前記粘着テープの粘着面に転写され、前記剥離層が剥離された基材テープを前記第３の回転部材が巻き取ることを特徴とする粘着テープカッタ。
【請求項３】
粘着テープを巻き付けてなる粘着テープロールが装着されるカッタケースと、
粘着テープの粘着テープロールを回転可能に保持する第１の回転部材と、
前記カッタケースの粘着テープ受部に固定されて、前記粘着テープロールから引き出された前記粘着テープを切断するカッタ刃と、
剥離層が形成されている剥離テープを巻いてなる剥離テープロールを保持する第２の回転部材と、
前記剥離テープを巻き取る第３の回転部材と、
前記第１の回転部材の回転を前記第３の回転部材に伝達する回転伝達機構と、
前記カッタ刃の近傍に配置されている剥離テープ用受台と、
を備え、
前記粘着テープが前記粘着テープロールから引き出されるときに、前記回転伝達機構によって前記第３の回転部材が回転し、これに伴い前記第３の回転部材が回転することにより、前記剥離テープが前記剥離テープロールから前記剥離テープ用受台を通して引き出され、
前記粘着テープロールから引き出された前記粘着テープを前記カッタ刃で切断するときに、前記剥離テープ用受台上の前記剥離テープの前記剥離層が前記粘着テープの粘着面に転写され、前記剥離層が剥離された基材テープを前記第３の回転部材が巻き取ることを特徴とする粘着テープカッタ。
【請求項４】
請求項２又は請求項３において、
前記剥離テープロールと前記第２の回転部材と前記巻取り部材と前記第３の回転部材とは剥離テープ用ケース内に収納されており、
該剥離テープ用ケースは前記カッタケース内に着脱可能になっており、
前記剥離テープ用ケースが前記カッタケース内に装着されるときに、前記第２の回転部材及び／又は前記第３の回転部材が前記回転伝達機構によって前記第１の回転部材に機械的に結合されるようになっていることを特徴とする粘着テープカッタ。
【請求項５】
請求項２又は請求項３において、
前記第２の回転部材は、前記剥離テープロールを着脱可能に保持し、
前記第３の回転部材は、前記剥離テープの基材テープを巻き取る巻取り部材を着脱可能に保持し、又は備えており、
前記剥離テープを交換するときには、新たな前記剥離テープロールを前記第２の回転部材に装着すると共に、前記基材テープを前記巻取り部材と一緒に、又は前記巻取り部材から外して前記基材テープだけを前記カッタケースから除去することを特徴とする粘着テープカッタ。
【請求項６】
請求項２ないし請求項５のいずれかにおいて、
前記第２の回転部材又は前記第３の回転部材は内側部材と外側部材とを有し、巻き取られる前記剥離テープに設定値以上のテンション（張力）がかかるときに前記内側部材と外側部材との間でスリップするトルクリミッタ機能を有することを特徴とする粘着テープカッタ。
【請求項７】
請求項１ないし請求項６のいずれかにおいて、
前記剥離テープは、前記粘着テープと同方向に引き出されることを特徴とする粘着テープカッタ。
【請求項８】
請求項１ないし請求項７のいずれかにおいて、
前記回転伝達機構は、回転方向変更手段を備え、該回転方向変更手段によって前記剥離テープは、前記粘着テープと直交する方向に引き出されることを特徴とする粘着テープカッタ。
【発明の詳細な説明】
【技術分野】
【０００１】
本発明は、粘着テープロールから所望の長さの粘着テープを切り取るときにその粘着面に非接着部分を自動的に形成することができる粘着テープカッタに関する。
【背景技術】
【０００２】
一般に、粘着テープは布、紙、合成樹脂など種々の材料からなるテープ状の基材に粘着剤を形成したものからなり、ロール状に巻かれて粘着テープロールとして広く市販されている。このような粘着テープロールは、例えば各種の封筒又は各種の材料からなる箱体の蓋などを封緘するのに、所定の長さだけ粘着テープロールから引き出し切断して用いられている。これら封筒又は箱体の蓋などの封緘は、爾後に粘着テープを引き剥がす必要性のあることが多く、この場合に粘着テープ全体が封緘部分に接着していると引き剥がし難い。したがって、粘着テープの切断箇所近傍、つまり切断された粘着テープの一方の端部に非接着部分を形成するという考え方が以前からある。この考え方を実現する発明が幾つか既に提案されている(例えば、特許文献１〜３参照)。これら発明はいずれも粘着テープの切断箇所を粘着面側に折り曲げて非接着部分を形成するものである。
【特許文献１】特開２００３−０１１０８１公報
【特許文献２】特開２００４−３１５２０３公報
【特許文献３】特開２００５−０１５１１２公報
【発明の開示】
【発明が解決しようとする課題】
【０００３】
前掲の特許文献１〜３に開示されている発明においては、粘着テープの一方の側部に非接着部分を形成するカッタ構造であるので、テープカッタに、粘着テープの一方の側部に粘着面を内側にした折り曲げ部を形成する折り曲げ手段と、折り曲げ部を形成する折り曲げ手段と、折り曲げ部の寸法を規制する寸法規制手段と、折り曲げ部において対向する粘着面同士を互いに押しつける押付け手段などを特別に備えなければならず、種々のテープ幅、種々の材質の粘着テープに対応して適切に折り曲げるのは非常に難しく、また、テープカッタの構造が複雑になるので、テープカッタ全体が大型化し、かつコストが高くなるなどの問題がある。
【０００４】
本発明はこのような問題点を解決するために、粘着テープの他に剥離層を有する剥離テープを用い、粘着テープを引き出すときに一緒に剥離テープも引き出され、粘着テープの切断時に粘着テープの粘着面に剥離層を付着させ、残存、つまり転写させることにより、粘着テープの粘着面の終端部に非接着部を自動的に形成し得る粘着テープカッタを提供することを目的にしている。
【課題を解決するための手段】
【０００５】
第１の発明は、前記課題を解決するために、粘着テープを巻き付けてなる粘着テープロールと、前記粘着テープロールから引き出された前記粘着テープを切断するカッタ刃と、剥離層が形成されている剥離テープを巻いてなる剥離テープロールと、前記粘着テープロールの回転を前記剥離テープロールに伝達する回転伝達機構とを備え、前記粘着テープが前記粘着テープロールから引き出されるときに、前記回転伝達機構によって前記剥離テープが前記剥離テープロールから引き出され、前記粘着テープロールから引き出された前記粘着テープを前記カッタ刃で切断するときに、前記剥離テープの前記剥離層が前記粘着テープにおける切断部分の粘着面に転写されることを特徴とする粘着テープカッタを提供する。
【０００６】
第２の発明は、前記課題を解決するために、粘着テープを巻き付けてなる粘着テープロールが装着されるカッタケースと、前記粘着テープロールを回転可能に保持する第１の回転部材と、前記カッタケースの粘着テープ受部に固定されて、前記粘着テープロールから引き出された前記粘着テープを切断するカッタ刃と、剥離層が形成されている剥離テープを巻いてなる剥離テープロールを保持する第２の回転部材と、前記剥離テープを巻き取る第３の回転部材と、前記第１の回転部材の回転を前記第２の回転部材及び前記第３の回転部材に伝達する回転伝達機構と、前記カッタ刃の近傍に配置されている剥離テープ用受台とを備え、前記粘着テープが前記粘着テープロールから引き出されるときに、前記回転伝達機構によって前記第２の回転部材及び前記第３の回転部材が回転することにより、前記剥離テープが前記剥離テープロールから前記剥離テープ用受台を通して引き出され、前記粘着テープロールから引き出された前記粘着テープを前記カッタ刃で切断するときに、前記剥離テープ用受台上の前記剥離テープの前記剥離層が前記粘着テープの粘着面に転写され、前記剥離層が剥離された基材テープを前記第３の回転部材が巻き取ることを特徴とする粘着テープカッタを提供する。
【０００７】
第３の発明は、前記課題を解決するために、粘着テープを巻き付けてなる粘着テープロールが装着されるカッタケースと、粘着テープの粘着テープロールを回転可能に保持する第１の回転部材と、前記カッタケースの粘着テープ受部に固定されて、前記粘着テープロールから引き出された前記粘着テープを切断するカッタ刃と、剥離層が形成されている剥離テープを巻いてなる剥離テープロールを保持する第２の回転部材と、前記剥離テープを巻き取る第３の回転部材と、前記第１の回転部材の回転を前記第３の回転部材に伝達する回転伝達機構と、前記カッタ刃の近傍に配置されている剥離テープ用受台とを備え、前記粘着テープが前記粘着テープロールから引き出されるときに、前記回転伝達機構によって前記第３の回転部材が回転し、これに伴い前記第３の回転部材が回転することにより、前記剥離テープが前記剥離テープロールから前記剥離テープ用受台を通して引き出され、前記粘着テープロールから引き出された前記粘着テープを前記カッタ刃で切断するときに、前記剥離テープ用受台上の前記剥離テープの前記剥離層が前記粘着テープの粘着面に転写され、前記剥離層が剥離された基材テープを前記第３の回転部材が巻き取ることを特徴とする粘着テープカッタを提供する。
【０００８】
第４の発明は、前記第２の発明又は前記第３の発明において、前記剥離テープロールと前記第２の回転部材と前記巻取り部材と前記第３の回転部材とは剥離テープ用ケース内に収納されており、その剥離テープ用ケースは前記カッタケース内に着脱可能になっており、前記剥離テープ用ケースが前記カッタケース内に装着されるときに、前記第２の回転部材及び／又は前記第３の回転部材が前記回転伝達機構によって前記第１の回転部材に機械的に結合されるようになっていることを特徴とする粘着テープカッタを提供する。
【０００９】
第５の発明は、前記第２の発明又は前記第３の発明において、前記第２の回転部材は、前記剥離テープロールを着脱可能に保持し、前記第３の回転部材は、前記剥離テープの基材テープを巻き取る巻取り部材を着脱可能に保持し、又は備えており、前記剥離テープを交換するときには、新たな前記剥離テープロールを前記第２の回転部材に装着すると共に、前記基材テープを前記巻取り部材と一緒に、又は前記巻取り部材から外して前記基材テープだけを前記カッタケースから除去することを特徴とする粘着テープカッタを提供する。
【００１０】
第６の発明は、前記第２の発明ないし前記第５の発明のいずれかにおいて、前記第２の回転部材又は前記第３の回転部材は内側部材と外側部材とを有し、巻き取られる前記剥離テープに設定値以上のテンション（張力）がかかるときに前記内側部材と外側部材との間でスリップするトルクリミッタ機能を有することを特徴とする粘着テープカッタを提供する。
【００１１】
第７の発明は、前記第１の発明ないし前記第６の発明のいずれかにおいて、前記剥離テープは、前記粘着テープと同方向に引き出されることを特徴とする粘着テープカッタを提供する。
【００１２】
第８の発明は、前記第１の発明ないし前記第７の発明のいずれかにおいて、前記回転伝達機構は、回転方向変更手段を備え、該回転方向変更手段によって前記剥離テープは、前記粘着テープと直交する方向に引き出されることを特徴とする粘着テープカッタを提供する。
【発明の効果】
【００１３】
第１、第２の発明によれば、粘着テープの他に剥離層を有する剥離テープを用い、粘着テープを引き出すときに一緒に剥離テープも引き出され、粘着テープの切断時に粘着テープの粘着面に剥離層を付着させ、残存、つまり転写させるので、簡単で小型の構成で粘着テープの切断近傍部に自動的に非接着部を形成できる経済性に優れた剥離テープ付の粘着テープカッタを得ることができる。
【００１４】
第３の発明によれば、前記第１、第２の発明で得られる効果の他に、より一層簡潔な構造にできるので、更に経済性に優れた剥離テープ付の粘着テープカッタを得ることができる。
【００１５】
第４の発明によれば、前記第２又は第３の発明で得られる効果の他に、剥離テープロールなどの装着、取り外しが簡単な剥離テープ付の粘着テープカッタを得ることができる。
【００１６】
第５の発明によれば、前記第２又は第３の発明で得られる効果の他に、剥離テープロールと基材テープとを一緒に取り外すだけであるので、極めて経済性に優れている。
【００１７】
第６の発明によれば、前記第２〜第５の発明で得られる効果の他に、剥離テープに設定以上の力が加わらないので、剥離テープが破損することが無く、しかも常にほぼ一定のテンションを剥離テープに加えておくことができるので、正確かつ確実に剥離層を粘着テープの粘着面に転写することができる。
【００１８】
第７の発明によれば、前記第１〜第６の発明で得られる効果の他に、幅が比較的小さな粘着テープに適した、前記効果が得られる剥離テープ付の粘着テープカッタを得ることができる。
【００１９】
第８の発明によれば、前記第１〜第６の発明で得られる効果の他に、幅が比較的大きな粘着テープに適した、前記効果が得られる剥離テープ付の粘着テープカッタを得ることができる。また、粘着テープの引き出し長さにかかわらず、一定の幅の非接着層を粘着テープの粘着面に付与することができる。
【発明を実施するための最良の形態】
【００２０】
[実施形態１]
図１ないし図８によって本発明を実施するための実施形態１について説明する。図１は本発明の一実施形態に係る粘着テープカッタ１００を説明するための概略図であり、図２は剥離テープ用ケースのカッタケースへの取り付け構造の一例を示す図である。図３は粘着テープカッタ１００のカッタケースに剥離テープ用ケースを取り付けた状態の構造を示す図である。図４は剥離テープ用ケースをより安定に保持するための構造の一例を示す図である。図５は基材テープを巻き取る巻取り部材の一例を示す図であり、図６は剥離テープを説明するための図である。図７は粘着テープ用受部と剥離テープ用受台とを上面から見た図面である。図８はこのカッタで粘着テープを切断したときの非接触部を示す図である。
【００２１】
図１において、カッタケース１は正面壁部１Ａと、図示していないが、正面壁部１Ａと対になる同様な形状の裏面壁部と、底壁部１Ｂと、後で詳述する粘着テープ受部１Ｃと、正面壁部１Ａと不図示の前記裏面壁部との間を結合する側壁部１Ｄ、１Ｅとからなる。このカッタケース１の外観は粘着テープ受部１Ｃを除き、通常のものとほとんど同様であるが、前記裏面壁部は一部分又は全部が開くようになっている。また、裏面壁部は省略することもできる。図１では、分かり易くするために正面壁部１Ａの裏面側に位置する各部材を鎖線で示さずに実線で示している。正面壁部１Ａには、第１の回転軸２が回転自在に支承、つまり片持ちで枢軸されている。第１の回転軸２には第１の回転部材４が固定されているか、又は第１の回転部材４が第１の回転軸２と一体的に形成されている。したがって、第１の回転部材４は粘着テープＴが巻かれた粘着テープロール３を回転自在に保持し得る。なお、第１の回転軸２はカッタケース１の正面壁部１Ａと一体的に形成された固定軸であってもよく、この場合には、第１の回転部材４はその固定軸に対して回転自在に取り付けられている。第１の回転部材４は、市販されているテープカッタの粘着テープロール保持部材と同様なものでもよく、粘着テープロール３を容易に装着・取り外し、つまり着脱できるような構造になっている。また、第１の回転軸２には、第１の歯車５が正面壁部１Ａと第１の回転部材４とに挟まれるように、第１の回転部材４と同軸に取り付けられている。図面では分かり易くするために第１の回転部材４の面域に対応する部分を鎖線で示さずに、実線で示している。
【００２２】
カッタケース１の正面壁部１Ａにける第１の回転軸２から離れた位置に、第２の回転軸６が回転可能に枢軸的に支承されている。第２の回転軸６には第２の歯車７が固定されており、第２の歯車７は可撓性の合成樹脂などからなるチェーンベルトのような回転伝達ベルト８によって第１の歯車５とリンクされている。また、カッタケース１の正面壁部１Ａには、図２（Ａ）に示すように３本の固定用軸部材９、１０、１１が図示しない前記裏面壁部方向に延びている。３本の固定用軸部材９、１０、１１は安定に剥離テープ用ケース１２を安定に保持するために２等辺３角形上にある。後述する本発明の大切な構成要件である剥離テープ用ケース１２の一対の側壁部１２Ａ、１２Ｂには、３本の固定用軸部材９、１０、１１を受け入れる貫通孔Ｈ１、Ｈ２、Ｈ３が前記２等辺３角形と同じ２等辺３角形上に形成されている。固定用軸部材９、１０、１１の先端部分には、図２（Ｂ）に示すようなケース抜け止め用の弾性構造部５０が必要に応じて備えられている。弾性構造部２５は固定用軸部材９、１０、１１それぞれの先端部分に設けられた凹所５０Ａと凹所５０Ａに係止された波状の板バネ５０Ｂとからなり、剥離テープ用ケース１２が所定位置に装着されると、板バネ５０Ｂの弾性力によって剥離テープ用ケース１２がその位置に保持されるようになっている。また、３本の固定用軸部材９、１０、１１を利用して剥離テープ用ケース１２をカッタケース１に装着したときに、剥離テープ用ケース１２をより安定に保持するために、図示しないが、カッタケース１の正面壁部１Ａから固定用軸部材９、１０、１１と同方向に延びる２枚の板バネで剥離テープ用ケース１２の他の一対の側壁部を両側から挟むようにしても勿論よい。
【００２３】
剥離テープ用ケース１２の上壁部１２Ｃには、剥離テープｔを引き出し、剥離テープｔから剥離層ｔ２が除去された基材テープｔ１を引き込むための開口部１２Ｈが形成されている。剥離テープ用ケース１２から開口部１２Ｈを通して引き出された剥離テープｔは、図１及び図７に示す剥離テープ用受台１３の上面で剥離層ｔ２が剥離されて、基材テープｔ１が開口部１２Ｈから剥離テープ用ケース１２内に引き込まれる。剥離テープ用ケース１２の側壁部１２Ａの外側には回転伝達機構の一部分を構成する歯車１４が備えられている。なお、剥離テープ用ケース１２はカッタケース１内に装着されて使用されるものであるので、実施形態１における剥離テープ用ケース１２は６面の一部面が開いている直方体状のものでもよい。
【００２４】
３本の固定用軸部材９、１０、１１が貫通孔Ｈ１、Ｈ２、Ｈ３を挿通するように不図示裏面壁部側から剥離テープ用ケース１２を軽く押し込むことによって、剥離テープ用ケース１２がカッタケース１内に装着される。図３を用いて、剥離テープ用ケース１２をカッタケース１内に装着した状態について説明すると、剥離テープ用ケース１２が３本の固定用軸部材９、１０、１１に取り付けられるとき、剥離テープ用ケース１２の側壁部１２Ａの外側に設けられている歯車１４が、第２の回転軸６に第２の歯車７と同軸で固定されている歯車１５に直接歯合する。剥離テープ用ケース１２には、歯車１４の他に回転軸１６、歯車１７〜１９、回転軸２０、剥離テープロール２１、回転軸２２及び巻取り部材２３が備えられている。歯車１４は回転軸１６に固定されており、剥離テープ用ケース１２内で歯車１７が回転軸１６に固定されている。回転軸１６は剥離テープ用ケース１２の側壁部１２Ａ、１２Ｂに枢軸的に支承されている。したがって、歯車１４が回転するときには歯車１７も一緒に回転する。そして、剥離テープ用ケース１２内において、歯車１７に歯車１８と歯車１９とが直接歯合している。歯車１８は、剥離テープ用ケース１２の側壁部１２Ａ、１２Ｂに枢軸的に支承されている回転軸２０に固定されており、回転部材として働く回転軸２０には剥離テープｔが巻かれた剥離テープロール２１が固定されている。剥離テープｔについては後述する。
【００２５】
他方、歯車１９は、剥離テープ用ケース１２の側壁部１２Ａ、１２Ｂに枢軸的に支承されている回転軸２２に固定されており、回転軸２２には剥離テープｔから剥離層ｔ２が剥離された基材テープｔ１を巻き取る巻取り部材２３が固定されている。この巻取り部材２３は回転軸２２と一体的に形成された直径の大きな部分であってもよく、回転軸２２と巻取り部材２３とは基材テープｔ１を巻き取る回転部材を構成する。したがって、第３の伝達補助歯車１７が回転すると、歯車１８と歯車１９とは互いに同方向に回転し、一緒に剥離テープロール２１と巻取り部材２３とが互いに同方向に回転する。ここで、図１に示した歯車５、回転伝達ベルト８、回転軸６、歯車７、図３に示した歯車１４、歯車１５、回転軸１６及び歯車１７〜歯車１９は互いに組み合わさって、粘着テープロール３の回転を剥離テープロール２１及び巻取り部材２３に伝達する回転伝達機構を構成する。また、剥離テープ用ケース１２を安定に保持するために、図４に示すように、回転軸２０の先端部分を先細り部２０Ａにして剥離テープ用ケース１２の側壁部１２Ａから突出させておき、他方では回転軸６の先端部分に回転軸２０の先細り部２０Ａを受け入れる円錐台形状の凹所６Ａを形成しておき、剥離テープ用ケース１２が前述のようにしてカッタケース１内に装着されたとき、回転軸６の凹所６Ａが回転軸２０の先細り部２０Ａを受け入れるようになっていてもよい。回転軸６と回転軸２０は同方向に回転するので、軽く接触している程度では、回転軸６の凹所６Ａと回転軸２０の先細部２０Ａとはそれぞれの回転に悪影響を与えずに、カッタケース１と剥離テープ用ケース１２とは互いに安定に保持し合う。
【００２６】
好ましい構造の巻取り部材２３について図５を用いて説明すると、巻取り部材２３は回転軸２２に固定された内側部材２３Ａとその外側に位置する外側部材２３Ｂとからなる。内側部材２３Ａと外側部材２３Ｂとは、内側部材２３Ａと外側部材２３Ｂとの間に設定トルク以上の力が働いたときに滑る境界面Ｇを有する。この境界面Ｇは、内側部材２３Ａの円筒状外面と外側部材２３Ｂの円筒状内面とがほぼ全面で接触する構造になっているもの、あるいは境界面Ｇに形成された複数個の突起とそれと係合する凹凸とを有する構造、又は市販されているトルクリミッタの構造を有するものであってもよい。巻取り部材２３がこのようなトルクリミッタ機能を有することによって、巻取り部材２３により巻取られる基材テープｔ１に所定値以上のテンション（張力）がかかったときに、内側部材２３Ａと外側部材２３Ｂとの境界面Ｇで滑りが生じるので、動作上の不都合が生じない。また、剥離テープｔに常にある一定のテンションをかけておくことができるので、剥離テープｔの動作を安定なものにすることができる。なお、巻取り部材２３の外形は巻き取った基材テープｔ１が外れたり、ずれないように基材テープｔ１の両端をガイドするような一般的なテープホルダ構造のものが好ましい。
【００２７】
次に、図６により剥離テープｔについて説明すると、剥離テープｔは基材テープｔ１とこの基材テープｔ１に形成されている剥離層ｔ２とからなる。基材テープｔ１は紙又は合成樹脂などからなる薄い適当な幅の一般的なテープであり、剥離層ｔ２は基材テープｔ１の片面又は両面に形成された塗料又は紙などからなる。剥離層ｔ２として塗料を用いた剥離テープｔとしては、石灰粉末をペースト状にして基材テープｔ１に塗布して乾燥させたもの、あるいは所望の色の粉末状体質顔料を適度の量だけバインダー樹脂に混練してなる塗料を基材テープｔ１に塗布し、乾燥させたものなどが考えられる。
【００２８】
この際、基材テープｔ１に対する剥離層ｔ２の剥離を容易なものにするためには、粒径の比較的大きな粉末状の体質顔料を用いることが好ましい。そして、基材テープｔ１から剥離層ｔ２を剥離するのに要する剥離力Ｐ１は、粘着テープＴの粘着面と剥離層ｔ２との間の粘着力Ｐ２よりも小さくなければならないが、剥離テープtが引き出されるときに基材テープｔ１から剥離層ｔ２が剥がれない程度以上の力で互いに接着していなければならない。また、紙など薄いテープ状のものを用いる場合には、基材テープｔ１に適度の粘性をもたせ、適当な長さで、例えば数ｍｍ毎に切れ目を設けたテープを基材テープｔ１に貼り合わせたような剥離テープであってもよい。剥離テープはこれらに限ることはなく、例えば市販されている修正用のテープようなものなど種々のものを用いることができる。実施形態１では、剥離テープｔは粘着テープＴとほぼ同等な幅であるのが好ましい。特に、剥離層ｔ２の幅が粘着テープＴの幅とほぼ等しいのが好ましい。なお、剥離層としては、水に濡れても溶けにくい性質、可撓性に優れていて任意の箇所で切れやすい性質、皮膚など人体に影響を与えない性質、一般の粘着テープの粘着面に接着しやすい性質などを有するのが好ましい。
【００２９】
説明を元に戻すと、カッタケース１の正面壁部１Ａと直交する底壁部１Ｂに対向する側には、引き出された粘着テープＴを受ける粘着テープ受部１Ｃが位置する。粘着テープ受部１Ｃは、図７に示すようにコの字の形状の粘着テープ用受台２４を備え、そのコの字の空間部Ｓに剥離テープｔを受けるための剥離テープ用受台１３が設けられている。粘着テープ用受台２４がコの字状になっているのは、剥離テープｔの装着作業を容易にするためであり、必ずしもこの形状にする必要はない。剥離テープ用受台１３の上面Ｕは、図７（Ｂ）に示すように、粘着テープ用受台２４の上面Ｖに比べて高くなっている。その高さはカッタ刃２５の高さにもよるが、１ないし数ミリメートル程度が好ましい。カッタ刃２５は粘着テープＴの幅よりも当然大きい幅を有し、粘着テープＴをカッタ刃２５で切断するときに、粘着テープＴが必ず剥離テープ用受台１３上の剥離テープｔを適当な力で加圧するか、あるいは少なくとも接触するように、剥離テープ用受台１３の上面Ｕの高さや、カッタ刃２５の位置は決められている。
【００３０】
粘着テープＴの引き出し長さは平均すると４〜５ｃｍが一般的であり、例えば、粘着テープＴの粘着面に粘着する剥離層ｔ２がおよそ１０ｍｍとなるように、各歯車の歯数が決められる。このように決めることによって、粘着テープＴが５ｃｍ引き出されるとき、剥離テープｔは１０ｍｍ引き出される。したがって、この状態で粘着テープＴが５ｃｍずつ引き出されれば、粘着テープＴの先端部分に１０ｍｍの剥離層ｔ２が接着することになる。このことから、剥離テープ用受台１３の剥離テープｔの引き出し方向の長さＬは、１０ｍｍ程度、つまり粘着テープＴの先端部分に接着させたい剥離層ｔ２の寸法と同等程度でよい。なお、粘着テープＴが引き出される長さによって、剥離テープｔが引き出される長さも異なるが、特に問題になることはない。
【００３１】
次に、この粘着テープカッタの動作説明を行う。まず、剥離テープ用ケース１２を装着する前に、剥離テープ用ケース１２の開口部１２Ｈから剥離テープｔを適当な長さ引き出し、剥離テープ用受台１３上を通るように剥離テープｔをセットしながら、剥離テープ用ケース１２を装着する。剥離テープ用ケース１２の装着作業は、前述したように、剥離テープ用ケース１２の壁部１２Ａ、１２Ｂに形成された貫通孔Ｈ１、Ｈ２、Ｈ３にカッタケース１の正面壁部１Ａの３本の固定用軸部材９、１０、１１を挿通させ、不図示の裏面壁部側から剥離テープ用ケース１２を軽く押し込むことによって行われる。なお、剥離テープ用ケース１２をカッタケース１に装着する際に、回転軸２２を剥離テープ用ケース１２の外側から回して剥離テープｔのテンションを調節してもよい。このとき以上述べた各歯車同士が互いに歯合しているが、巻取り部材２３のトルクリミッタ機能が有効に働くので、回転軸２２を支障なく回転させることができる。なお、この場合には、図示しないが、回転軸２２のいずれかの先端面に−又は＋のドライバ溝を設けておき、剥離テープ用ケース１２の壁部１２Ａ、１２Ｂから容易に回転軸２２を回転させることができるようにしておくと便利である。また、図示しないが、前記開口部１２Ｈは二つの開口からなって、一方の開口から剥離テープｔが引き出されており、他方の開口から剥離テープｔが剥離テープ用ケース１２内に引き込まれていてもよい。この場合、開口と開口との間では剥離テープｔが剥離テープ用ケース１２の外面にあるので、剥離テープｔを剥離テープ用受台１３上にセットする際に好都合である。
剥離テープ用ケース１２を所定位置に装着すると、歯車１４が歯車１５に歯合する。歯車１４又は歯車１５は、図示していないが、剥離テープ用ケース１２を装着するときに向き合う側の直径が幾分小さくなるように造られているのが好ましく、歯車１４と歯車１５とが互いに歯合し易くなっている。この段階で剥離テープ用ケース１２の開口部１２Ｈから引き出されている剥離テープｔを剥離テープ用受台１３上にセットしても勿論よい。このようにして剥離テープ用ケース１２と剥離テープｔとの装着作業が終了した後に粘着テープＴを引き出す。粘着テープＴを引き出すのに伴って、回転軸２、回転部材４及び歯車５が時計方向に回転する。この回転は、エンドレス（無端状）の回転伝達ベルト８によって歯車７に伝達され、回転軸６を回転させる（図１）。これに伴い、回転軸６に固定されている歯車１５が回転し、歯車１５に歯合している剥離テープ用ケース１２側の歯車１４が回転する。剥離テープ用ケース１２における歯車１４の回転に伴い回転軸１６が回転し、回転軸１６に固定されている歯車１７も一緒に回転する。歯車１７が回転すると、歯車１７に歯合している歯車１８と１９とが互いに同方向に回転する。これに伴って、剥離テープロール２１と巻取り部材２３とが互いに同方向に回転し、剥離テープロール２１は剥離テープｔを送り出し、巻取り部材２３は剥離テープロール２１から送り出された剥離テープｔを引っ張り、基材テープｔ１を巻き取る。
【００３２】
したがって、粘着テープＴを引き出すと、剥離テープｔが自動的に剥離テープロール２１から送り出され、剥離テープｔは剥離テープ用受台１３上を通過する。このとき、剥離テープｔの剥離層ｔ２が上側で基材テープｔ１が下側である。粘着テープＴを引き出しているときには、通常、粘着テープＴがカッタ刃２５に接触することがないように引き出すので、粘着テープＴの粘着面である下面は粘着テープ用受台２４の上面Ｖには接触せず、また同様に剥離テープ用受台１３上の剥離テープtにも接触しない。しかし、粘着テープＴを所定長引き出して切断するときには、必ず粘着テープＴをカッタ刃２５に押し当て、下側に引っ張るようにして切断するので、このときには必ず粘着テープＴの粘着面は剥離テープ用受台１３上の剥離テープtに当接し、粘着テープＴの粘着面に剥離テープｔの剥離層ｔ２が接着する。
【００３３】
このような状態で、粘着テープＴがカッタ刃２５で切断されると、粘着テープ用受台２４上に残存する粘着テープＴの先端部分Ｔａは図７（Ｂ）においてカッタ刃２５の左側にあり、剥離テープ用受台１３上にも位置するから、その先端部分Ｔａには剥離テープｔの剥離層ｔ２が接着されている。そして、次に粘着テープＴの先端部分Ｔａを摘んで引き出すと、当然に剥離テープｔも粘着テープＴの引き出し方向に引っ張られるが、歯車５、回転伝達ベルト８、歯車７、歯車１４、歯車１５、歯車１７、歯車１８、歯車１９などからなる前記回転伝達機構の機械的な動作が遅れるので、剥離テープｔにテンション（張力）がかかる。そして、その張力はすべて基材テープｔ１と剥離層ｔ２とにかかるので、粘着テープＴに接着して残存していた剥離層ｔ２は基材テープｔ１から剥離し、粘着テープＴに転写される。つまり、引き出された粘着テープＴの先端部分Ｔａには剥離層ｔ２が付着しており、この剥離層ｔ２が非接着部分を形成する。この剥離層ｔ２は前述したように粉末状の着色顔料などの粉末をバインダー樹脂に含有させたものであるので、引っ張り力を受けると容易に裂けるものであり、したがって、図８に示すように、所望寸法前後の剥離層ｔ２が粘着テープＴの先端部分Ｔａに容易に転写される。剥離層ｔ２は顔料の色によって所望の色にすることができる。
【００３４】
ここで、剥離テープロール２１と巻取り部材２３との関係について簡単に触れておく。剥離テープロール２１は未使用の状態が最も直径が大きく、剥離テープｔが引き出されて使用されるほど直径が小さくなる。他方、逆に巻取り部材２３が基材テープｔ１を巻き取るにつれて、巻取り部材２３に巻取った基材テープｔ１の巻取り済部分２６の直径が大きくなる。したがって、剥離テープロール２１が未使用の状態で、巻取り部材２３が基材テープｔ１を巻き取っていない状態を初期状態とすると、初期状態で剥離テープロール２１と巻取り部材２３との周速度がほぼ同じになるように、又は巻取り部材２３の周速度が剥離テープロール２１の周速度に比べて幾分大きくなるように、巻取り部材２３の直径、及び前記回転伝達機構の各歯車の歯数が設定されているのが好ましい。このように設定しておくことにより、粘着テープＴを引き出して使用するとき、前述のような機械的な動作遅れによることなく、初期から剥離テープｔにテンション（張力）がかかるので、安定かつ確実に剥離層ｔ２を粘着テープＴの粘着面に転写することができる。
【００３５】
そして、粘着テープＴが引き出されて使用されるのに伴い、剥離テープロール２１の直径は徐々に小さくなり、逆に巻取り部材２３が基材テープｔ１を巻き取るにつれて、巻取り済部分２６の直径が大きくなり、互いの回転角度は変化しないので、剥離テープロール２１の周速度は小さくなり、逆に巻取り済部分２６の周速度は大きくなる。したがって、剥離テープｔにテンション（張力）がかかるが、そのテンション（張力）がある値（設定値）以上になると、既に図５を用いて説明したように、巻取り部材２３の内側部材２３Ａと外側部材２３Ｂとの間でスリップ（すべり）が生じるので、正常に動作を行うことができ、また、剥離テープｔに設定値を越えるテンション（張力）がかかることがない。巻取り部材２３の内側部材２３Ａと外側部材２３Ｂとの間でスリップが開始する設定トルクは、粘着テープＴを引き出す力、剥離テープｔの剥離層ｔ２が基材テープｔ１から剥離するのに要する力などを考慮して設定される。したがって、粘着テープＴを引き出す力をなるべく軽くするためには、巻取り部材２３の内側部材２３Ａと外側部材２３Ｂとの間でスリップが開始する設定トルクを、剥離テープｔの剥離層ｔ２が基材テープｔ１から剥離して粘着テープＴに転写されるのに要する力とほぼ同等ないしはそれよりもさほど大きくない値に制限するのが好ましい。このようにして、粘着テープＴを引き出して切断するときに、その切断部分に剥離層が転写され、粘着テープＴの粘着面に自動的に非接着部分が形成される。そして、剥離テープロール２１の剥離テープｔが使用されて無くなったら、剥離テープ用ケース１２を固定用軸部材９〜１１から抜き取って、別の新しい剥離テープ用ケース１２に交換する。
【００３６】
[実施形態２]
図９を用いて本発明の他の実施形態２に係る第２の粘着テープカッタ２００について説明する。図９において、図１ないし図８で用いた記号と同一の記号は同じ名称の部材を示すものとする。第２の粘着テープカッタ２００が第１の粘着テープカッタ１００と異なる主な点は回転伝達機構であるので、回転伝達機構について主に説明する。図１で示したように、歯車７は歯車５の回転運動を伝達する回転伝達ベルト８によって回転する。歯車７は回転軸６によって自在に回転でき、歯車７の側部に位置する係止部７Ａに係止凹所７Ｂを有するところに特徴がある。また、剥離テープ用ケース１２の壁部１２Ａからは回転軸１９の先端部に一体的に形成された突起状係止部２７を備える。係止凹所７Ｂは突起状係止部２７を受け入れ、歯車７の回転が係止凹所７Ｂと突起状係止部２７との機械的結合を通して回転軸１９に確実に伝達されるように互いに係止し合う。突起状係止部２７は容易に係止凹所７Ｂに受け入れられるように、先端部が幾分先細りの断面台形状になっており、回転方向に対してほぼ垂直に延びる多数の凸状部とこれらにより形成される多数の浅溝を有する。また、係止凹所７Ｂは突起状係止部２７の前記多数の凸状部とこれらにより形成される多数の浅溝に係合する多数の溝と凸状部とを有する。つまり、図示していないが、図９における表裏での突起状係止部２７の断面構造は正の歯車状であり、係止凹所７Ｂはその歯車状構造と全周又は一部で歯合する負の歯車状になっている。しかし、このような係止凹所７Ｂ及び突起状係止部２７の形状は一例であり、例えば互いに係合し易い断面台形状の８角形など多角形のものでもよい。
【００３７】
したがって、図２に示したような固定用軸部材９〜１１を利用して剥離テープ用ケース１２をカッタケース１に装着するとき、突起状係止部２７は容易に係止凹所７Ｂに挿入され、互いに容易に係止し合う。このような係止状態で、粘着テープＴを引き出すと、回転軸２、回転部材４及び歯車５が時計方向に回転し、この回転は、回転伝達ベルト８によって歯車７に伝達される（図１）。これに伴い、歯車７の係止部７Ａに係止されている突起状係止部２７を介して回転軸２０が回転する。回転軸２０に固定されている歯車１８が回転し、歯車１８に歯合している歯車１７が回転し、更に歯車１７に歯合している歯車１９が回転する。したがって、回転軸２０に固定されている剥離テープロール２１と回転軸２２に固定されている巻取り部材２３とが同方向に回転し、剥離テープロール２１は剥離テープｔを送り出し、回転部材である巻取り部材２３は剥離テープロール２１から送り出された剥離テープｔを引っ張り、基材テープｔ１を巻き取る。そして、剥離テープロール２１の剥離テープｔが使用されて無くなったら、剥離テープ用ケース１２を固定用軸部材９〜１１から抜き取って、新しい剥離テープ用ケース１２に交換する。この実施形態では、粘着テープロール３の回転を剥離テープロール２１と巻取り部材２３とに伝達する回転伝達機構の構造を簡潔にすることができ、より一層コストダウンできるだけでなく、信頼性を向上させることができる。
【００３８】
なお、第２の粘着テープカッタ２００から回転軸１６と歯車１７とを削除し、歯車１８と歯車１９とを直接歯合させてもよい。この場合には、剥離テープロール２１と巻取り部材２３との回転方向が逆になるが全く支障はない。回転軸１６と歯車１７とを削除することによって更にコストダウンが可能になる。また、固定用軸部材９〜１１を利用して剥離テープ用ケース１２をカッタケース１に装着せずに、図１０に示すように、ガイド機構と板バネとで安定に装着することもできる。図１０において、カッタケース１の底壁部１Ｂには図面の裏面側から正面壁部１Ａに延びるガイド部２９、３０が形成されている。また、カッタケース１の正面壁部１Ａには２本の板バネ３１、３２がほぼ垂直に延びている。ガイド部２９とガイド３０との間隔は剥離テープ用ケース１２の幅１２Ｗよりも幾分大きくなっており、板バネ３１、３２の先端部分を図面上側に押し上げた状態で、ガイド部２９、３０によって剥離テープ用ケース１２を図面裏側から表側に向けて最奥まで押し込み、板バネ３１、３２を放すことによって、ガイド部２９、３０と板バネ３１、３２との働きにで剥離テープ用ケース１２を所定位置に安定に保持することができる。板バネ３１、３２が剥離テープ用ケース１２を押さえる位置は、図３において剥離テープ用ケース１２の開口部１２Ｈを外れていることが好ましい。図１０では他の部材を図示するのを省略しているが、前述のようにして剥離テープ用ケース１２が装着された状態では、図３では剥離テープ用ケース１２の歯車１４がカッタケース１側の歯車１５に歯合し、また、図９では係止凹所７Ｂと突起状係止部２７とが互いに係止し合う。なお、係合構造が互いに逆になっても勿論よい。
【００３９】
[実施形態３]
図１１、図１２を用いて本発明の他の実施形態３に係る粘着テープカッタについて説明する。図１１、図１２において、図１ないし図１０で用いた記号と同一の記号は同じ名称の部材を示すものとする。図１１は実施形態１、２における剥離テープロール２１と巻取り部材２３の回転方向を９０度変える回転方向変更手段を説明するための図である。図１２はカッタケース１における粘着テープ受部１Ｃと、剥離テープ用受台１３とを示す図である。実施形態３の粘着テープカッタは、基本的には前述した実施形態１、２の粘着テープカッタと同じであり、ガムテープなどのように幅広の粘着テープ用に適している。この粘着テープカッタは、粘着テープＴに対して剥離テープｔを直交させるところに特徴があり、幅広の粘着テープに対しても例えば１０ｍｍ程度の幅を有する前述のような剥離テープｔでも粘着テープＴ全体に１０ｍｍ程度の幅の剥離層を形成することができる。主として実施形態１、２の粘着テープカッタと異なる点について以下に説明する。
【００４０】
この実施形態３の粘着テープカッタは、図１及び図２などに示された第２の回転軸８及び第２の歯車９の回転方向を粘着テープＴの引き出し方向に対して直交するようにほぼ９０度変える回転方向変更手段３３を備える。つまり、回転方向変更手段３３は、粘着テープロール３の回転方向に対して剥離テープロール２１と巻取り部材２３との回転方向を９０度変更して、粘着テープＴの引き出し方向に対して剥離テープｔの引き出し方向をほぼ直角にする。回転方向変更手段３３は、粘着テープカッタ１００又は２００におけるカッタケース１側の回転軸６及び歯車７と同様な構造になっている回転軸６に歯車７と同軸で固定されている傘歯車３４とこれと歯合する傘歯車３５とからなる。図１１では分かり易くするために、回転軸６は図1におけるカッタケース１の表面壁部１Ａと対向する不図示の裏面壁部に回転可能に支承されている。傘歯車３５は、剥離テープ用ケース１２の側壁部１２Ａと１２Ｂとに枢軸的に支承されている回転軸２０に固定又は回転軸２０と一体的に形成され、剥離テープ用ケース１２の外部に配置されている。傘歯車３５は、図３で示した歯車１４に対応し、実施形態１で説明したように、剥離テープ用ケース１２がカッタケース１に装着されたときに、前記回転伝達機構の一部分として作用すると共に、傘歯車３４と共働して剥離テープｔの方向を９０度変更する。なお、回転軸２０に固定されている剥離テープロール２１、回転軸２２に固定されている巻取り部材２３については前述したものと同一であるので説明を省略する。また、他の部材については実施形態1又は実施形態２と同じであるので図示するのを省略している。
【００４１】
実施形態３の第３の粘着テープカッタ３００では、図１において、カッタケース１の側壁部１Ｅ(図面右側)が開くようになっており、側壁部１Ｅを開いて剥離テープ用ケース１２を装着、又は取り外すようになっている。この粘着テープカッタ３００では、剥離テープ用ケース１２が図１０に示した装着構造と基本的には同じガイド構造とバネ構造とによって、簡便に装着、又は取り外しできるようになっている。このような装着構造を利用して、図１１に示すように剥離テープ用ケース１２を側壁部１Ｅ側から他方の側壁部１Ｄ（図１）方向に押し込んでカッタケース１に装着すると、傘歯車３５が傘歯車３４に歯合する。この状態で、粘着テープＴが図面左から右方向に引き出され、回転伝達ベルト８が矢印Ｒ方向に回転すると、歯車７、回転軸６及び傘歯車３４が時計方向に回転する。これに伴い、傘歯車３５が図面の表裏方向に回転するので、剥離テープ用ケース１２における回転軸２０、歯車１８、剥離テープロール２１も図面表裏方向に回転する。歯車１８に歯合している歯車１９は、歯車１８とは逆方向の図面表裏方向に回転し、一緒に巻取り部材２３も回転する。したがって、粘着テープＴが図面左から右方向に引き出されるのに対して剥離テープｔは図面表裏方向に引き出され、剥離テープｔが粘着テープＴに直交するのが分かる。
【００４２】
この実施形態３の粘着テープカッタのケースカッタ１における粘着テープＴを受ける粘着テープ受部１Ｃの粘着テープ用受台２４は、図１２おいて矢印Ｘで示すように、粘着テープＴを引き出す方向の寸法が小さく、粘着テープＴの幅方向の寸法が大きな矩形上の窓部３６を有する。窓部３６における粘着テープＴの引き出し方向の後端近傍に実施形態１で述べたようなカッタ刃２５が備えられている。ただし、このカッタ刃２５は粘着テープＴの幅よりも長い。そして、剥離テープ用受台１３が窓部３６の中央に位置している。剥離テープ用受台１３の長さは粘着テープＴの幅Ｗにほぼ等しい。前述したように、剥離テープロール２１から引き出された剥離テープｔは、図１２において窓部３６の手前下方向から剥離テープ用受台１３上を矢印Ｙ方向に引き出され、また窓部３６の向こう側下方向に降りて巻取り部材２３に巻き取られる。つまり、剥離テープｔは剥離テープ用受台１３上で粘着テープＴとほぼ直交する。したがって、粘着テープＴを引き出してカッタ刃２５で切断するとき、粘着テープＴの切断近傍部の粘着面には剥離テープ用受台１３上を矢印Ｙ方向に延びている剥離テープｔの剥離層ｔ２（図６）がほぼ長さＷだけ接着し、転写される。これによって、粘着テープＴの切断近傍部の粘着面には剥離テープｔの幅に等しい剥離層ｔ２が接着され、非接着部分を形成する。なお、粘着テープＴの使用長さの平均値に対して、剥離テープｔが粘着テープＴの幅Ｗにほぼ等しい長さが引き出されるように、歯車５、歯車７、歯車１８の歯数が設定される。
【００４３】
以上述べたようにこの実施形態３の粘着テープカッタによれば、図１に示したように、粘着テープＴを引き出すと、歯車５、回転伝達ベルト８、歯車７、回転方向変更手段３３、歯車１８、１９などによって構成される回転伝達機構によって、粘着テープＴを引き出すときの粘着テープロール３の回転が回転方向変更手段３３によって９０度回転方向が変更されて剥離テープロール２１と巻取り部材２３とに伝達される。したがって、粘着テープＴの引き出し方向Ｘとは直交する方向Ｙに剥離テープｔが引き出され、剥離テープ用受台１３上で粘着テープＴの切断近傍部の粘着面と剥離テープｔの剥離層ｔ２とが直交した状態で重なり、剥離層ｔ２が粘着テープＴの切断近傍部の粘着面に転写される。実施形態３の粘着テープカッタ３００によれば、粘着テープＴの幅の大小に関係なく一定幅、例えばほぼ１ｃｍ程度の幅の剥離テープｔを用いることができるので、多種類の幅の剥離テープｔを巻いた剥離テープロールを用意する必要が無い。特に、この粘着テープカッタ３００はガムテープなど幅の広い粘着テープＴの場合に有効である。なお、巻取り部材２３は図５に示したようなトルクリミッタ機能を有するものが好ましい。なお、窓部３６に対する剥離テープ用受台１３の大きさとカッタケース１のスペースとの関係で、剥離テープｔを剥離テープ用受台１３にセットするのが難しい場合には、粘着テープ受部１Ｃと剥離テープ用受台１３とがカッタケース１に対して、図１２の手前又は向こう側、あるいは右側に開くようになっているのが好ましい。この場合には、ヒンジなど通常の手段で片側に開くようになっていればよい。また、粘着テープ受部１Ｃと剥離テープ用受台１３とがカッタケース１に対して容易に着脱できるようになっていてもよい。さらに粘着テープ受部１Ｃだけが前述のように片側に開くか、あるいはカッタケース１に対して容易に着脱できるようになっていてもよい。粘着テープ受部１Ｃと剥離テープ用受台１３とが開く場合には、その開いた状態で剥離テープ用ケース１２をカッタケース１に装着する構造としても勿論よい。
【００４４】
[実施形態４]
以上の実施形態１〜３では、剥離テープが使用されて無くなったら剥離テープ用ケース１２ごと新たなものに交換したが、実施形態４の第４の粘着テープカッタ４００は剥離テープロールと前記巻取り部材だけを交換するものであり、図１３と図１４を用いて説明する。第４の粘着テープカッタ４００は、実施形態１〜３で用いた剥離テープ用ケース１２を用いない。図１３及び図１４において、図１ないし図１２で用いた記号と同一の記号は同じ名称の部材を示すものとする。実施形態１、２と同様に、回転軸６がカッタケース１の正面壁部１Ａに枢軸的に支承されており、図１で示したように回転伝達ベルト８によって粘着テープ側の歯車５にリンクされている歯車７がその回転軸６に固定されている。さらに回転軸６には歯車７と同軸的に歯車１５が固定されており、その先に剥離テープロール２１が装着されている。回転軸６の先端部分は、剥離テープロール２１を取り付ける回転部材として他よりも直径の大きな大径部６Ａとなっている。大径部６Ａは、短円筒状の剥離テープロール２１を容易に装着、取り外しできるように、剥離テープロール２１の内径に適する大きさになっており、例えば８角形など多角形状である。
【００４５】
歯車１５に歯合する歯車３７が回転軸３８に固定されている。回転軸３８はカッタケース１の正面壁部１Ａに枢軸的に支承されている。回転軸３８の先端部分は、巻取り部材２３を取り付ける回転部材として他よりも直径の大きな大径部３８Ａとなっている。大径部３８Ａは、短円筒状の巻取り部材２３を容易に装着、取り外しできるように、巻取り部材２３の内径に適する大きさを有し、例えば８角形など多角形状になっている。この実施形態では、剥離テープロール２１と巻取り部材２３とは１組になっており、剥離テープｔの先端部分は予め巻取り部材２３に固定されている。したがって、剥離テープロール２１と巻取り部材２３とをそれぞれ大径部６Ａ、大径部３８Ａに装着し、図１４に示すように剥離テープｔを剥離テープ用受台１３にかけることによって装着作業は終了する。
【００４６】
この粘着テープカッタ４００においても、図１に示したように粘着テープＴが引き出されることによって、粘着テープロール３、回転部材４、回転軸２、歯車５が回転し、粘着テープロール３の回転が回転伝達ベルト８によって歯車７に伝達され、歯車７が回転する。これによって、回転軸６が回転し、歯車１５及び剥離テープロール２１が回転すると同時に、歯車１５に歯合している歯車３７が回転し、回転軸３８及び巻取り部材２３が回転する。ここで剥離テープロール２１と巻取り部材２３とは逆方向に回転するが、全く問題は無く、前述したのと同様に、粘着テープＴが引き出されることによって、剥離テープｔは剥離テープ用受台１３上に順次送り出され、粘着テープＴを切断するときに剥離テープｔの剥離層ｔ２(図６)が粘着テープＴの粘着面に転写される。そして、剥離層ｔ２がほとんど除去された基材テープｔ１(図６)は巻取り部材２３によって巻き取られる。なお、鎖線で示す補強板３９は回転軸６と回転軸３８とをより安定に保持するために、表面壁部１Ａと共働して両持ちで回転軸６と回転軸３８とを枢軸的に支承している。補強板３９はカッタケース１の底壁部１Ｂと一体的に形成、又は底壁部１Ｂに対して垂直に固定されている。しかし、補強板３９は必ずしも必要でない。この実施形態はより簡単な構造になっており、剥離テープロール２１と巻取り部材２３とを交換するだけでよいので、更に経済性に優れている。なお、この実施形態においても、回転部材として他よりも直径の大きな大径部３８Ａが図５に示したようなトルクリミッタ機能を有するのが好ましい。
【００４７】
[実施形態５]
図１５、図１６を用いて本発明の他の実施形態５に係る粘着テープカッタ５００について説明する。図１５、図１６において、図１ないし図１４で用いた記号と同一の記号は同じ名称の部材を示すものとする。第５の粘着テープカッタ５００の基本的な構造は粘着テープカッタ４００と同じであるが、第２の歯車６と粘着テープロール３の回転を巻取り部材２３に伝達して剥離テープｔを引き出し、剥離テープロール２１は一定のトルクをもって従動回転するところが実施形態４の粘着テープカッタ４００と異なる。主に粘着テープカッタ４００と異なる部分だけについて説明する。
【００４８】
粘着テープカッタ５００では、回転軸６に歯車７が固定され、回転軸６の先端部分が他部分よりも直径の大きな大径部６Ａとなっているのは実施形態４と同じであるが、その直径は巻取り部材２３の内径に適した大きさと形状になっており、例えば８角形など多角形状になっているのが着脱の面から好ましい。大径部６Ａには巻取り部材２３が装着される。また、カッタケース１の正面壁部１Ａには、正面壁部１Ａに垂直になるよう回転しない固定軸４０が固定されている。固定軸４０の先端部分にはトルクリミッタ機能を有する回転部材４１が備えられている。回転部材４１は外面がほぼ円筒状の内側部材４１Ａと内面がほぼ円筒状の外側部材４１Ｂとからなっている。内側部材４１Ａは回転軸４０に固定されており、回転しない。外側部材４１Ｂは、内側部材４１Ａと外側部材４１Ｂとの間に設定値以上の回転力が加わったときに、内側部材４１Ａとの境界面Ｈですべりが生じて、内側部材４１Ａに対して回転できるようになっている。境界面Ｈにグリースのような潤滑剤が存在すれば更に好ましい。
【００４９】
つまり、回転部材４１はトルクリミッタ機能を有している。なお、トルクリミッタは玩具などに使用されている簡単な構造で安価なものからプリンタ、ロボットなど民生用、産業用に使用されているものまで多種雑多であるが、ここで使用するトルクリミッタ構造は簡単な小型の構造で安価なものが好ましい。回転部材４１の外側部材４１Ｂの外面は、短円筒状の剥離テープロール２１を容易に装着、取り外しできるように、剥離テープロール２１の内径に適する大きさと形状になっており、例えば８角形など多角形状であることが着脱の面から好ましい。回転部材４１には剥離テープロール２１が装着される。
【００５０】
この粘着テープカッタ５００では、図１に示したように粘着テープＴが引き出されることによって、粘着テープロール３、回転部材４、回転軸２、歯車５が回転し、回転伝達ベルト８によって歯車７が回転する。これによって、回転軸６が回転し、巻取り部材２３が回転することにより、基材テープｔ１を巻き取るので、粘着テープＴが引っ張られ、剥離テープロール２１が回転して剥離テープｔを送り出す。つまり、剥離テープロール２１は巻取り部材２３の回転に従動する。粘着テープＴが引き出され使用されるのに伴い、巻取り部材２３が基材テープｔ１を巻き取る量も増えるので、巻取り済部分２６の外径も大きくなり、また、回転軸６及び歯車７の回転量は粘着テープＴの引き出し長に比例するから、巻取り済部分２６の外径が大きくなるのに伴い剥離テープｔの引き出し長が大きくなってしまう。したがって、この粘着テープカッタ５００では、最初に粘着テープＴが５ｃｍ程度引き出されるとき、巻取り部材２３の円筒状外面が１０ｍｍ程度動くように設定されているが、剥離テープロール２１に比べて巻取り部材２３の外径を大きくしており、基材テープｔ１の巻取りに伴う巻取り済部分２６の外径の増大を小さくしている。また、使用する基材テープｔ１の厚みを薄くすることにより、巻取り済部分２６の厚みを薄く抑えることができ、粘着テープＴの使用初期から残りわずかな終盤までの全期間にわたって、引き出される粘着テープＴの長さに対する剥離テープｔの引き出される長さの変化を支障のない程度に抑制することができる。
【００５１】
したがって、粘着テープＴが引き出されるのに伴い、歯車７、回転軸６などからなる回転伝達機構によって巻取り部材２３が回転する。巻取り部材２３が回転することにより、基材テープｔ１が巻取り部材２３によって巻き取られ、剥離テープｔが引っ張られるので、剥離テープロール２１は回転する。この剥離テープロール２１の回転は、剥離テープｔが設定以上の力で引っ張られるときに、回転部材４１の内側部材４１Ａと外側部材４１Ｂとの境界面Ｈですべりが生じ、外側部材４１Ｂが内側部材４１Ａとの境界面Ｈですべり摩擦を生じながら回転することになる。したがって、剥離テープｔには常にほぼ一定のテンション（張力）がかかっており、粘着テープＴの切断時に剥離テープ用受台１３上の剥離テープｔから剥離層ｔ２が粘着テープＴに転写されるのを確実なものにすると共に、粘着テープカッタ５００の正常な動作を妨げない。この実施形態では構造がより簡潔の粘着テープカッタを得ることができる。なお、この粘着テープカッタ５００でも、図１３に示した補強板３９を用いることによって、更に一層安定な動作を確保することができる。
【００５２】
以上述べた実施形態を組み合わせることもできる。例えば、図１１に示す構造と図１３又は図１５に示す構造とを組み合わせて、剥離テープ用ケース１２を用いずに剥離テープｔを剥離テープ用受台１３上で粘着テープＴに直交させる粘着テープカッタを得ることができる。例えば、図１１に示す構造と図１３に示す構造とを組み合わせる場合には、図１１における剥離テープ用ケース１２の側壁部１２Ａに代えて、図１３に示した補強板３９を用い、その補強板に回転軸２０及び回転軸２２を枢軸的に支承させる構造とする。そして、歯車１８を歯車７と歯車１５とに代え、歯車１９を歯車３７に代えるとともに、剥離テープ用ケース１２の側壁部１２Ｂを削除し、剥離テープロール２１と巻取り部材２３との図面右側にカッタケース１の側壁部１Ｅが位置するようにすればよい。また、剥離テープロール２１と巻取り部材２３、それらを装着する回転部材は図１３に示したようなものを用いるのがよい。また、図１５に示した構造を図３又は図９に示した剥離テープ用ケース１２内に納めてもよい。
【００５３】
以上述べた各実施形態の粘着テープカッタの全体的な構造、外観は図１に示したものに限られることは無く、例えば、図１において粘着テープロール３及びその関連部材と剥離テープロール２１及びその関連部材の位置関係は反対になっても良い。また、カッタ刃については、粘着テープの引き出し方向における剥離テープ受台の図面右側に配置したが、カッタ刃の高さの調節などを行うことによって、図面左側に配置することも可能である。この場合には、粘着テープの切断後端部に剥離層が接着する。さらに、剥離テープが引き出される長さは、粘着テープの引き出し長にかかわらずにほぼ一定であることが望ましい。さらにまた、前記実施形態で述べた回転軸は固定軸であっても良いものがある。この場合には、固定軸に対して一部分の歯車が回転するようになっていてもよい。さらにまた、回転伝達ベルトは１個又は複数個の歯車に代えることができる。
【図面の簡単な説明】
【００５４】
【図１】本発明の実施形態１に係る粘着テープカッタ１００全体の概略構成を説明するための図である。
【図２】粘着テープカッタ１００のカッタケースに剥離テープ用ケースを装着する構造の一例を示す図である。
【図３】粘着テープカッタ１００における剥離テープの駆動構造などを説明するための図である。
【図４】剥離テープ用ケースなどをより安定に保持する構造の一例を示す図である。
【図５】粘着テープカッタ１００における剥離テープの巻取り構造の一例を説明するための図である。
【図６】粘着テープカッタ１００に用いられる剥離テープを説明するための図である。
【図７】粘着テープカッタ１００における粘着テープ受部を説明するための図である。
【図８】粘着テープカッタ１００で切断された粘着テープの切断近傍部を示す図である。
【図９】本発明の実施形態２に係る粘着テープカッタ２００における剥離テープの駆動機構を説明するための図である。
【図１０】粘着テープカッタ２００における剥離テープ用ケースの装着構造の一例を示す図である。
【図１１】本発明の実施形態３に係る粘着テープカッタ３００における剥離テープの駆動機構を説明するための図である。
【図１２】実施形態３の粘着テープカッタ３００における粘着テープ受部を説明するための図である。
【図１３】本発明の実施形態４に係る粘着テープカッタ４００における剥離テープの駆動機構を示す図である。
【図１４】本発明の実施形態４に係る粘着テープカッタ４００における剥離テープの駆動を説明するための図である。
【図１５】本発明の実施形態５に係る粘着テープカッタ５００における剥離テープの駆動機構を示す図である。
【図１６】本発明の実施形態５に係る粘着テープカッタ５００における剥離テープの駆動を説明するための図である。
【符号の説明】
【００５５】
１・・・カッタケース
１Ａ・・・カッタケース１の正面壁部
１Ｂ・・・カッタケース１の底部
１Ｃ・・・カッタケース１の粘着テープ受部
１Ｄ、１Ｅ・・・カッタケース１の側壁部
２・・・第１の回転軸（又は固定軸）
３・・・粘着テープロール
４・・・第１の回転部材
５・・・第１の歯車
６・・・第２の回転軸
７・・・第２の歯車
７Ａ・・・係止部
７Ｂ・・・係止凹所
８・・・回転伝達ベルト
９、１０、１１・・・固定用軸部材
１２・・・剥離テープ用ケース
１３・・・剥離テープ用受台
１４、１５・・・歯車
１６・・・回転軸
１７、１８、１９・・・歯車
２０・・・回転軸
２１・・・剥離テープロール
２２・・・回転軸
２３・・・巻取り部材
２３Ａ・・・巻取り部材２３の内側部材
２３Ｂ・・・巻取り部材２３の外側部材
２４・・・粘着テープ用受台
２５・・・カッタ刃
２６・・・基材テープｔ１の巻取り済部分
２７・・・突起状係止部
２９、３０・・・ガイド部
３１、３２・・・板バネ
３３・・・回転方向変更手段
３４、３５・・・傘歯車
３６・・・粘着テープ受部１Ｃの窓部
３７・・・歯車
３８・・・回転軸
３９・・・補強板
４０・・・固定軸
４１・・・回転部材
４１Ａ・・・内側部材
４１Ｂ・・・外側部材
５０・・・弾性構造部
５０Ａ・・・弾性構造部５０の凹所
５０Ｂ・・・弾性構造部５０のバネ部材
１００・・・第１の粘着テープカッタ
２００・・・第２の粘着テープカッタ
３００・・・第３の粘着テープカッタ
４００・・・第４の粘着テープカッタ
５００・・・第５の粘着テープカッタ
Ｔ・・・粘着テープ
Ｔａ・・・粘着テープの先端部分
ｔ・・・剥離テープ
ｔ１・・・基材テープ
ｔ２・・・剥離層
【図１】
2007008665.tif 000003
【図２】
2007008665.tif 000004
【図３】
2007008665.tif 000005
【図４】
2007008665.tif 000006
【図５】
2007008665.tif 000007
【図６】
2007008665.tif 000008
【図７】
2007008665.tif 000009
【図８】
2007008665.tif 000010
【図９】
2007008665.tif 000011
【図１０】
2007008665.tif 000012
【図１１】
2007008665.tif 000013
【図１２】
2007008665.tif 000014
【図１３】
2007008665.tif 000015
【図１４】
2007008665.tif 000016
【図１５】
2007008665.tif 000017
【図１６】
2007008665.tif 000018